(57)【要約】      （修正有）【課題】スト−マ保有者が安心して日常生活を送る事ができる排便洩れ防止装具を提供する。【解決手段】帯状脱脂綿１を変形テープ２に貼付けたものをスト−マの根っこに巻き、締め加減の調整をしながら隙間を塞ぎ市販面板に貼付、片端接着面を貼付ける事からなる、個人差のある隙間を塞ぎシ−ル性を高めた排便洩れ防止装具。【選択図】図１
2014000354.tif 000002
【特許請求の範囲】
【請求項１】
スト−マに帯状脱脂綿（１）のついたテープ（２）を巻き貼付、隙間を塞ぎシ−ル性を高めようとする。構成によりなる排便洩れ防止装具である。
【発明の詳細な説明】
【技術分野】
【０００１】この発明は、スト−マ保有者が使用する一般市販面板とスト−マの隙間から特に硬い便は排便洩れがおきて常に不安で安心安全の生活が送れない為、不安解消の為の排便洩れ防止装具に関する物である。
【背景技術】
【０００２】従来の排便装具の中で面板とスト−マの隙間から排便洩れに対処する物は市場には粘土で隙間を埋める物がありますが確実に洩れますので、スト−マ保有者は日常生活で常に不安を抱えている。
【発明の開示】
【発明が解決しようとする課題】
【０００３】市販面板は従来、スト−マの大きさに合わせて面板に穴加工された物か自分でスト−マに合わせて穴をハサミで切り取るものが有りますがどうしても隙間ができますそれを完全に補正する物は無くその隙間を塞ぐ事により排便洩れの欠点をなくす為になされたものである。
【課題を解決するための手段】
【０００４】帯状脱脂綿（１）を変形テープ（２）に貼付、片端と長手一面に接着面を設けスト−マの根っこに巻き、締め加減とストーマと排便装具の面板との隙間を完全に塞ぎ長手一面を市販面板に折り曲げ貼付をして片端接着面を貼付る事からなる変形バンドエイド感覚で役目を果たす、本発明は、以上の構成よりなる排便洩れ防止装具である。
【発明の効果】
【０００５】排便洩れの道を脱脂綿による圧力ですべりを悪くして抵抗させて塞ぐ事で、排便は時と場所を選ばずあるが、いかなる状況での排便でも安心して日常生活を送る事が出来る。
【発明を実施するための最良の形態】
【０００６】以下、本発明を実施するための最良の形態について説明する。
腸は神経が無いが傷をつけないように帯状脱脂綿（１）を変形テープ（２）に貼付、片端と長手一面に接着面を設けスト−マの根っこに巻き、締め加減と排便装具の面板との隙間を完全に塞ぎ長手一面を市販面板に折り曲げ貼付をしながら片端接着面を締め加減をして貼付る事からなる。テープはバンドエイド質のもので通気性をもたして隙間は個人差がありますので脱脂綿の厚みを数種類設け変形バンドエイド的変形脱脂綿付テープがあれば対応できる排便洩れ防止装具である。
【図面の簡単な説明】
【０００７】
【図１】  本発明の断面図及び正面図他詳細図である。
【図２】  本発明の斜視図及び展開図である。
【図３】  本発明の矢視図及び説明用図面である。
【符号の説明】
【０００８】  １    帯状脱脂綿
２    変形テープ
【図１】
2014000354.tif 000003
【図２】
2014000354.tif 000004
【図３】
2014000354.tif 000005
【手続補正書】
【提出日】平成24年10月1日(2012.10.1)
【手続補正１】
【補正対象書類名】特許請求の範囲
【補正対象項目名】請求項１
【補正方法】変更
【補正の内容】
【請求項１】
スト−マに脱脂綿をシ−ルとして使用する事、その帯状脱脂綿（１）のついたテ−プ（２）を巻き貼付け、隙間を塞ぎシ−ル性を高めようとする構成によりなる排便洩れ防止装具である。
【手続補正２】
【補正対象書類名】明細書
【補正対象項目名】０００６
【補正方法】変更
【補正の内容】
【０００６】以下、本発明を実施するための最良の形態について説明する。
帯状脱脂綿（１）を変形テ−プ（２）に貼付け、片端と長手一面に接着面を設けスト−マの根っこに巻き、締め加減と排便装具の面板との隙間を完全に塞ぎ長手一面を市販面板に折り曲げ貼付けをしながら片端接着面を締め加減をして貼付ける事からなる。テ−プはバンドエイド質のもので通気性をもたして隙間は個人差があるので脱脂綿の厚みを数種類設け変形バンドエイド的変形脱脂綿付テ−プがあれば対応できる，脱脂綿の繊維がスト−マの周上接触面積にからみ硬い排便の道を塞ぎ排便圧の歯止めになり抵抗をもたらす事が出来シ−ル性が高まる排便洩れ防止装具である。
【手続補正書】
【提出日】平成24年11月27日(2012.11.27)
【手続補正１】
【補正対象書類名】特許請求の範囲
【補正対象項目名】請求項１
【補正方法】変更
【補正の内容】
【請求項１】
ストーマに帯状シリコンスポンジシール（１）のついたテープ（２）を巻き貼付け、隙間を塞ぎシール性を高めようとする構成によりなる排便洩れ防止装具である。
【手続補正２】
【補正対象書類名】明細書
【補正対象項目名】０００４
【補正方法】変更
【補正の内容】
【０００４】帯状のシリコンスポンジシール（１）を変形テープ（２）に貼付け、片端と長手半面に接着面を設けストーマの根っこに巻き、締め加減とストーマと排便装具の面板との隙間を完全に塞ぎ長手一面を市販面板に折り曲げ貼付けをして片端接着面を貼付け後輪ゴム（３）を締め加減にして取付けるので変形バンドエイド感覚で役目を果たせる排便洩れ防止装具である、本発明は、以上の構成よりなる排便洩れ防止装具である。
【手続補正３】
【補正対象書類名】明細書
【補正対象項目名】０００６
【補正方法】変更
【補正の内容】
【０００６】以下、本発明を実施するための最良の形態について説明する。
帯状シリコンスポンジシール（１）を変形テープ（２）に貼付け、片端と長手一面に接着面を設けるストーマの根っこに巻き、締め加減をして合わせ面と面板との隙間を完全に塞ぎ長手一面を市販面板に折り曲げ貼付けをしながら片端接着面を貼付け固定する後は輪ゴム（３）にて常時締めつけ加減の状態にする事からなる。テープはバンドエイド質のもので良い市販面板とストーマの隙間は個人差があるので自分にあったシリコンスポンジシールの厚み巾を選定する、シリコンスポンジシールが硬い排便圧の歯止めになり抵抗をもたらす事ができシール性が高まる、たとえば腸のぜん動運動でストーマが細くなった時に輪ゴムが動きを吸収して隙間をなくしてくれる逆に腸が便圧の高い時はストーマが太くなるのでシリコンスポンジシール［図１］の中のＡ部詳細の”ｂ”部にハの字に力が働きシール性が高まりより安全に近ずき理想の安全対策が出来る又、”ａ”部の太線部分のシリコンスポンジシールの外面を軟質シリコン液を塗布し肌を守り安全な排便洩れ防止装具である。
【手続補正４】
【補正対象書類名】明細書
【補正対象項目名】０００７
【補正方法】変更
【補正の内容】
【０００７】
【図１】本発明の取付け状態の断面図、正面図他詳細図である。
【図２】本発明の斜視図及び展開図である。
【図３】本発明の矢視図、断面図説明用図である。
【手続補正５】
【補正対象書類名】明細書
【補正対象項目名】０００８
【補正方法】変更
【補正の内容】
【０００８】１    シリコンスポンジシール
２    変形テープ
【手続補正７】
【補正対象書類名】図面
【補正対象項目名】全図
【補正方法】変更
【補正の内容】
【図１】
2014000354.tif 000006
【図２】
2014000354.tif 000007
【図３】
2014000354.tif 000008